(57)【要約】  【課題】温度変化による画質劣化を最小限に抑えた画像読取装置を提供すること。  【解決手段】イメージセンサ７１を実装した回路基板７２を、レンズユニット６０の光軸Ｌとの交点一箇所でネジ８２により支持部材５２に固定することにより、画像読取装置内の温度上昇に伴う回路基板７２の膨張による伸びを許容し、当該回路基板７２における撓みの発生を防止する。これにより、イメージセンサ７１の光軸Ｌ方向の変位を解消し、かつ、回路基板７２の膨張に伴うイメージセンサ７１上の撮像素子の光軸Ｌに直交する平面内における変位を最小にして、イメージセンサ７１による画像読取範囲が正規の範囲からずれるのを抑止し、温度上昇に伴う画質の劣化を低減する。【選択図】図３
2010109427.tif 000002
【特許請求の範囲】
【請求項１】
原稿面からの反射光を結像レンズを介して、回路基板に搭載された固体撮像素子の受光面上で受光し画像データを生成する画像読取装置であって、
前記回路基板を、その搭載した固体撮像素子の受光面が前記結像レンズの光軸に直交するような状態で、当該回路基板の裏面から１点で固定して保持する支持部材を備え、
当該支持部材の回路基板に対する固定位置は、搭載した固体撮像素子を光軸に沿って回路基板に投影した範囲内に存する
ことを特徴とする画像読取装置。
【請求項２】
前記回路基板における固定位置は、前記固体撮像素子の受光面の中心位置を、光軸に沿って回路基板に投影した位置と、ほぼ一致すること
を特徴とする請求項１に記載の画像読取装置。
【請求項３】
前記回路基板が前記支持部材に固定される位置は、前記結像レンズのほぼ光軸上にある
ことを特徴とする請求項１または２に記載の画像読取装置。
【請求項４】
前記回路基板が、前記固定位置を中心として回転するのを規制する回転規制手段を備える
ことを特徴とする請求項１から３のいずれかに記載の画像読取装置。
【請求項５】
前記回転規制手段は、前記支持部材および回路基板の一方に設けられた長穴と、他方に設けられ前記長穴に係合する係合ピンとからなり、当該長穴の長手方向の略延長線上に、前記固定位置が存することを特徴とする請求項４に記載の画像読取装置。
【請求項６】
前記固定位置において、前記支持部材と前記回路基板との間に介在し、前記光軸と垂直な平面に対する前記固体撮像素子の受光面の傾きを調整する姿勢調整部材を備える
ことを特徴とする請求項１から３のいずれかに記載の画像読取装置。
【請求項７】
前記回路基板は、前記固定位置においてネジを介して前記支持部材に支持され、
前記姿勢調整部材は、前記ネジが遊挿される貫通穴を有する２個のくさび状部材を、そのくさび面が接するように組み合わせてなる
ことを特徴とする請求項６に記載の画像読取装置。
【請求項８】
前記姿勢調整部材は、高熱伝導性材料からなる
ことを特徴とする請求項６または７に記載の画像読取装置。
【請求項９】
前記支持部材は、高熱伝導性材料からなる
ことを特徴とする請求項１から８のいずれかに記載の画像読取装置。
【発明の詳細な説明】
【技術分野】
【０００１】
本発明は、画像読取装置に関し、特に画像読取装置における固体撮像素子の結像位置からの光軸方向の位置ずれを抑制する構造に関する。
【背景技術】
【０００２】
一般に、複写機やイメージスキャナのように原稿を光学的に読み取る画像読取装置においては、露光ランプにより原稿を照明し、当該原稿面からの反射光を、複数もしくは単数のレンズより成る結像レンズを介してイメージセンサ（固体撮像素子）の受光面上で結像させ、当該イメージセンサの信号を取り出すことにより原稿の画像データを取得するようになっている。
【０００３】
このイメージセンサを画像読取装置へ装着する方法としては、例えば、図１２に示すように、イメージセンサ２７１を板状の回路基板２７２に実装し、当該イメージセンサ２７１が光軸Ｌと直交する状態に維持しつつ、回路基板２７２の長手方向の両端部において基台２５１に立設された一対の支持部材２５２にそれぞれネジ２８２により固定する構成が開示されている（特許文献１参照）。
【０００４】
しかし、上記の構成では、以下のような問題がある。
すなわち、イメージセンサ２７１や回路基板２７２上の実装部品等の発熱、露光ランプの発熱、および周囲の環境の温度変化によって、画像読取装置内部の温度が上昇した場合、回路基板２７２や基台２５１が熱膨張する。ところが、回路基板２７２の材料（例えば、エポキシ樹脂を含浸させたガラス繊維製の布）と基台２５１の材料（例えば、鉄）の線膨張係数には差があり、通常、前者の方が後者の線膨張係数よりも大きいので、回路基板２７２の長手方向の伸び量が、基台２５１の上記一対の支持部材２５２を結んだ方向における伸び量を上回り、回路基板２７２に撓みが生じる。
【０００５】
その結果、図１３に示すように、回路基板２７２に実装されているイメージセンサ２７１がレンズの光軸Ｌ方向に距離β変位する。この変位により、結像位置がイメージセンサ２７１の受光面上から外れ、原稿からの反射光が正確にイメージセンサ２７１上に結像せず、画質の劣化を引き起こす。
なお、この回路基板２７２の撓みは、同図に示すように結像レンズに近づく方向に撓むこともあれば、それとは反対に遠ざかる方向に撓むこともあり、どちらの方向に撓むのかは一概に言えないが、遠ざかった場合でも結像位置とイメージセンサ２７１の受光面に光軸上における位置ずれが発生することには変わりがない。
【０００６】
この問題を解決するため、特許文献２には、イメージセンサ２７１を光軸Ｌに沿って回路基板２７２に投影した範囲の外で、回路基板２７２の長手方向もしくは短手方向の一端をネジ等のネジにより固定すると共に、回路基板２７２の他端に、長手方向もしくは短手方向に伸びる長穴を設けて、これを段付きネジにより締め付けて支持する構造が開示されている。このような構成にすることで、温度変化による回路基板２７２の長手方向もしくは短手方向における回路基板の伸びを長穴で逃すことができ、回路基板に撓みが生じない構成としている。
【特許文献１】特開平１０−２９４８２７号公報
【特許文献２】特開２００５−１７６２６７号公報
【発明の開示】
【発明が解決しようとする課題】
【０００７】
しかしながら、特許文献２に記載されている構成を採ったとしても、以下のような問題がある。即ち、回路基板２７２の長手方向一端で固定され、他端で支持されている場合には、画像読取装置内部の温度が上昇して回路基板２７２が長手方向に膨張すると、それに伴って当該回路基板２７２上に実装されているイメージセンサ２７１の位置も長手方向に変位し、読み取った画像の位置が主走査方向にずれてしまい、最悪の場合には、原稿画像の端の部分が切れて、本来読み取られるべき範囲の画像が読み取られないという事態が発生する虞がある。
【０００８】
回路基板の短手方向の一端で固定され、他端で支持されている場合には、長手方向の場合と比較してイメージセンサ２７１実装箇所の変位は小さいが、それでも固定位置とイメージセンサ２７１との距離や温度上昇量によっては、回路基板２７２の短手方向（副走査方向）の伸長に伴い、当該イメージセンサ２７１が正規の画像読取位置からずれて、原稿画像を正確に読み取れない虞が依然として存在する。
【０００９】
本発明は、上記事情に鑑みてなされたものであって、温度変化による画質の劣化や読取り位置のずれを極力抑えることが可能な画像読取装置を提供することを目的とする。
【課題を解決するための手段】
【００１０】
上記の課題を解決するため、本発明に係る画像読取装置は、原稿面からの反射光を結像レンズを介して、回路基板に搭載された固体撮像素子の受光面上で受光し画像データを生成する画像読取装置であって、前記回路基板を、その搭載した固体撮像素子の受光面が前記結像レンズの光軸に直交するような状態で、当該回路基板の裏面から１点で固定して保持する支持部材を備え、当該回路基板における固定位置は、搭載した固体撮像素子を光軸に沿って回路基板に投影した範囲内に存することを特徴とする。
【発明の効果】
【００１１】
上記構成により、温度変化による回路基板の膨張を規制する部分がなくなり、回路基板の撓みにより固体撮像素子が光軸方向に変位することに起因する画質劣化を防ぐことができ、さらに、固体撮像素子を光軸に沿って回路基板に投影した範囲内で回路基板を固定することにより、固定位置から一番遠い位置にある撮像素子までの距離を従来よりも短くすることができ、回路基板の膨張に伴う光軸に直交する平面上における固体撮像素子の変位が小さくなり、読取り位置のずれを低減することができる。
【００１２】
ここで、前記回路基板における固定位置は、前記固体撮像素子の受光面の中心位置を、光軸に沿って回路基板に投影した位置と、ほぼ一致することを特徴とするとしてもよい。
さらに、前記回路基板が前記支持部材に固定される位置は、前記結像レンズのほぼ光軸上にあることを特徴とする構成としてもよい。
これにより、回路基板の膨張に伴う光軸に直交する平面上における固体撮像素子の変位が、固定位置を中心として対称となり、固体撮像素子端部の変位を可及的に低減することが出来る。
【００１３】
また、前記回路基板の前記固定位置を中心とした回転を規制する回転規制手段を備えることを特徴とするとしてもよい。
これにより、固定位置を中心として回路基板が回転しようとする力を規制し、組立時において回路基板の位置決めが容易になると共に、使用中に震動などにより回路基板が固定位置を中心に回転するのを阻止することができる。
【００１４】
更に、前記回転規制手段は、前記支持部材および回路基板の一方に設けられた長穴と、他方に設けられ前記長穴に係合する係合ピンとからなり、当該長穴の長手方向の略延長線上に、前記固定位置が存することを特徴とするとしてもよい。
これにより、回転規制手段が固定位置を中心とした回路基板の膨張を規制することがないため、回路基板の撓みを発生させること無く当該回路基板の回転方向における位置を安定させることができるという効果がある。
【００１５】
また、ここで、前記固定位置において、前記支持部材と前記回路基板との間に介在し、前記光軸と垂直な平面に対する前記固体撮像素子の受光面の傾きを調整する姿勢調整部材を備えることを特徴とするとしてもよい。
これにより、取り付け時において、固体撮像素子の受光面が光軸に直交する平面内にあるように微調整することが可能である。
【００１６】
ここで、前記回路基板は、前記固定位置においてネジを介して前記支持部材に固定され、前記姿勢調整部材は、前記ネジが遊挿される貫通穴を有する２個のくさび状部材を、そのくさび面が接するように組み合わせてなることを特徴とするとしてもよい。
これにより、少ない部品点数でありながら、回路基板取り付け時の光軸に直交する平面に対する傾きを容易に微調整することができるという効果がある。
【００１７】
また、前記姿勢調整部材は、高熱伝導性材料からなることを特徴とするとしてもよい。
これにより、固体撮像素子および回路基板の発生する熱が、容易に姿勢調整部材へと移動することができ、回路基板の温度上昇を抑制する効果が得られる。
更に、前記支持部材は、高熱伝導性材料からなることを特徴とするとしてもよい。
これにより、固体撮像素子および回路基板の発生する熱が、姿勢調整部材を通じて容易に支持部材へと移動し、支持部材が放熱部材としての役割を果たすことで、より効果的に回路基板の温度上昇を抑制できるという効果がある。
【発明を実施するための最良の形態】
【００１８】
以下、本発明に係る実施の形態を、画像読取装置に適用した場合を例に、図面に基づいて説明する。なお、以下に示す各図においては、各構成要素を図面上で認識可能な程度の大きさとするため、各構成要素の寸法や比率は実際のものとは適宜異なって表されている。
＜実施の形態１＞
（１．画像読取装置の全体構成）
図１は、本発明の実施の形態に係る画像読取装置１の全体構成を示す概略図である。
【００１９】
同図に示すように、画像読取装置１は、原稿押さえ板２と画像読取部３から成り、画像読取部３は、上面にプラテンガラス３１が嵌め込まれた箱状の機枠３２内に、スキャナユニット３３、折り返しミラーユニット３４、制御部４０、および画像読取ユニット５０等を備える。スキャナユニット３３は、露光ランプ３３１と折り返しミラー３３２から成る。折り返しミラーユニット３４は、折り返しミラー３４１および３４２で構成されている。機枠３２の上面には、プラテンガラス３１上に載置された原稿を上方から押さえるための原稿押さえ板２が、機枠３２に対して開閉可能に軸支されている。
【００２０】
プラテンガラス３１上に載置された原稿は当該プラテンガラス３１を通して露光ランプ３３１により照射される。当該原稿からの反射光は、折り返しミラー３３２により水平方向に反射され、更に折り返しミラー３４１および３４２で反射されて画像読取ユニット５０へと入光する。画像読取ユニット５０は、レンズユニット６０やイメージセンサ７１等を備え、それらがカバー１００により覆われた構成となっている。
【００２１】
原稿読み取りを実行する場合には、スキャナユニット３３を、図示しない駆動機構により同図の矢印Ａの方向に移動させて、当該原稿画像をスキャンする（このようなスキャン方法は、一般に「ミラースキャン方式」と呼ばれる。）。この際、折り返しミラーユニット３４が上記スキャナユニット３３と同方向に、その移動速度の半分の速度で移動するようになっており、これにより、原稿面から画像読取ユニット５０内のレンズユニット６０までの光路長が一定に保たれた状態で、原稿からの反射光を画像読取ユニット５０内のイメージセンサ７１の受光面で結像させることができる。
【００２２】
なお、スキャナユニット３３の駆動機構としては、例えば、矢印Ａ方向と平行に配設された２本もしくはそれ以上の本数のレールに、スキャナユニット３３を摺動可能に保持させると共に、プーリに張架されたワイヤーの一部にスキャナユニット３３を連結し、当該ワイヤーをスキャナモータＭにより駆動する公知の駆動方式が使用される。
イメージセンサ７１に入射した原稿からの反射光は、電気信号に変換され、制御部４０においてＡ／Ｄ変換されて多値のデジタル信号となり、更にシェーディング補正や濃度変換、エッジ強調などの処理を加えられた後、制御部４０内の画像メモリに格納される。
（２．画像読取ユニット５０の構成）
図２および図３は画像読取ユニット５０の構成を示す概略図である。
【００２３】
図２は、光軸Ｌを含む垂直な平面による断面図であり、図３は光軸Ｌを含む水平な平面による断面図である。同図２および図３に示すように、画像読取ユニット５０は、基台５１がカバー１００によって覆われた構造となっており、基台５１のＸ’方向端部近傍に、原稿からの反射光を結像させるためのレンズユニット６０を備える。
レンズユニット６０は、複数の結像レンズ６１と、それらを保持するレンズブラケット６２とを有し、レンズブラケット６２は基台５１の所定の位置に固定されている。
【００２４】
カバー１００は、樹脂材料、または鉄など金属材料から成り、Ｘ’方向端面に開口部を有し、折り返しミラーユニット３４からの原稿の反射光がレンズユニット６０に入射できるようになっている。
レンズユニット６０の上記反射光の進行方向後段には、当該レンズユニット６２から所定距離をおいて、撮像部７０が配設されている。撮像部７０は、撮像素子を有するイメージセンサ７１が回路基板７２に実装され、当該回路基板７２が基台５１に取り付けられた支持部材５２に固定された構成となっている。なお、上記イメージセンサ７１として、ＣＣＤイメージセンサやＣＭＯＳイメージセンサ等の撮像デバイスが使用される。
【００２５】
上記回路基板７２は、板状の樹脂材料（例えば、エポキシ樹脂を含浸させたガラス繊維製の布）で形成されている。回路基板７２上には、銅箔を用いて形成された回路パターンが設けられており、イメージセンサ７１、および当該イメージセンサ７１を駆動するための電子部品が、当該回路パターン上に実装されている。
図４は、撮像部７０が支持部材５２に固定される様子を示す斜視図であり、図５は、その光軸Ｌを含む水平方向の平面による断面図である。回路基板７２のほぼ中央の位置には、丸孔７３が穿設され、当該丸孔７３のイメージセンサ７１が実装される側からナット部材８１が嵌挿され、そのフランジ８１ａが回路基板７２に当接した状態で取着される。そして、その上からイメージセンサ７１の受光面の中心が上記ナット部材８１のネジ孔のほぼ中心軸上に来るような状態で回路基板７２に実装される。
【００２６】
ナット部材８１の先端部は、基台５１においてレンズユニット６０から所定距離をおいて立設された支持部材５２に設けられた丸孔５３に嵌挿され、適当な治具を使用して、回路基板７２の長手方向を、基台７２に対して平行に維持した状態で、当該ナット部材８１のネジ孔にネジ８２を締め付けることにより、回路基板７２を支持部材５２に固定する。
なお、本実施の形態においては、回路基板７２や支持部材５２の丸孔７３、５３の代わりに、断面形状が多角形の貫通孔を設け、ナット部材８１の横断面の形状もこれに嵌合する多角形とすることにより、ネジ締め時にナット部材８１の共回りを回避でき、取付け作業が容易になる。
【００２７】
また、フランジ８１ａの厚みは、個体撮像素子７１の裏面と干渉しない程度の大きさに抑えられ、場合によってはその一部もしくは全部が回路基板７２に没入するような構成であってもよい。そのようにすることで、ナット部材８１のフランジ８１ａがイメージセンサ７１と接触して、破損や変形、歪み等を引き起こす危険性を減ずることができる。
上記のように、回路基板７２を支持部材５２に、ほぼ光軸Ｌ上の１箇所で固定することで、温度変化により回路基板が膨張・収縮しても、他に膨張・収縮を規制するものが無いため、回路基板７２はその主面に平行な平面内で自在に膨張・収縮し、光軸Ｌ方向に撓むことがなくなる。
【００２８】
従って、レンズユニット６０からイメージセンサ７１までの距離が変化せず、結像位置がイメージセンサ７１上から外れて画質の劣化が発生することがない。さらに、固定箇所が一箇所であるため、取り付け工程の簡略化や部品点数削減の効果もある。
また、本実施の形態では、回路基板７２の固定位置（丸孔７３）をイメージセンサ７１の受光面の中心の回路基板７２への投影位置とほぼ一致するように構成しているので、次のような効果が得られる。なお、上記受光面の中心とは、受光面の長手方向の中心線と短手方向の中心線の交点を意味する。
【００２９】
（１）回路基板７２の固定位置から見てイメージセンサ７１の撮像素子のうち一番遠い位置にあるもの（以下、「最外撮像素子」という。）との距離を最小にすることができるため、熱膨張による当該最外撮像画素の変位量を最小にすることができ、読取り範囲の誤差の発生を可及的に抑えることができる。
（２）当該固定位置をイメージセンサ７１と回路基板７２を合わせた部材の重心と近似させることができ、重力によって生じる当該固定位置周りの左右のモーメントをほぼ等しくすることができるため、使用中に回路基板の回転ずれなどが生じにくい。
【００３０】
（３）たとえ、振動などにより回路基板７２が、ネジ８２を中心に微少回転することがあったとしても、最外撮像素子のネジ８２による固定位置までの距離が短いので、回路基板７２の回転による当該最外撮像素子の光軸Ｌに直交する平面内における変位量を最小限にできる。
（４）通常、イメージセンサ７１は、図３にも示すようにその長手方向の中心に対して対称的にリードピンが設けられているので、上記固定位置を起点にして回路基板が長手方向に対称的に熱膨張すると、固体撮像素子７１の長手方向に中心に対し反対方向にほぼ等分に変位させようとする力が作用し、当該リードピンの弾性によりそれらの変位が吸収されて、固体撮像素子７１本体はほとんど変位しないという利点が考えられる。
【００３１】
また、さらに、結像レンズ６１の光軸Ｌ上の固定位置で回路基板７１を保持しているため、撮像素子の変位量を光軸Ｌを挟んで対称に維持でき、読取り画像の劣化がより目立ちにくいと考えられる。
もっとも、回路基板７２上における、上記ナット部材８１およびネジ８２による固定位置８０は、イメージセンサ７１の中心を光軸Ｌに沿って回路基板７２に投影させた位置に必ずしも一致させなくとも、イメージセンサ７１を回路基板７２上に光軸Ｌに平行な方向に投影した範囲内にあるとしてもよい。このようにすることで、固定位置が従来のようにイメージセンサ７１の投影範囲外にある場合と比較して、イメージセンサ７１の最外撮像素子の固定位置８０からの距離が小さくなり、回路基板７２の熱膨張による当該イメージセンサ７１の変位も小さくなるからである。
【００３２】
＜実施の形態２＞
上記実施の形態１においては、イメージセンサ７１を回路基板７２の裏面の所定の一点で支持部材５２に保持する構成について説明した。
本実施の形態は、これを更に発展させ、回路基板７２の光軸Ｌに垂直な面に対する取り付け時の傾きを調整する姿勢調整ユニットを備えた構成について説明する。なお、説明の重複を避けるため、実施の形態１と同じ内容のものについてはその説明を省略し、同じ構成要素については、同符号を付すものとする。
【００３３】
図６に示されるように、姿勢調整ユニット９０は、円筒をその中心軸と斜めに交わる平面で切断した形状をし、それぞれ貫通孔９１１、貫通孔９２１を有するくさび形の姿勢調整部材９１および９２から成る。
当該姿勢調整部材９１および９２は、それぞれくさび面９１２および９２２を有する。
なお、図６では、くさび面９１２、９２２の端面９１３、９２３に対してなす角度は分かりやすいように誇張して示しているが、実際には製造段階における組立誤差を補間する程度の微少な角度であればよい。
【００３４】
図７は、本実施の形態の形態における回路基板７２の取付け部における光軸Ｌを含む水平な平面による断面図である。同図に示されるように、姿勢調整ユニット９０は、回路基板７２と支持部材５２との間で、且つ、ネジ８２およびナット部材８１の先端部に遊挿されて使用される。同図の場合には、支持部材５２の主面が光軸Ｌに垂直となっており、傾き調整の必要がなく、端面９１３と端面９２３が平行となるように、姿勢調整部材９１、９２の回転方向における相対的位置が調整される。
【００３５】
図８に示されるように、支持部材５２の主面が光軸Ｌ（Ｘ―Ｘ’方向）に直交する平面に対してα傾いている場合に、イメージセンサ７１を取り付ける組立段階で、姿勢調整部材９１と９２を相対的に回転させ、図９に示すように、姿勢調整ユニット９０の回路基板７２に接する面と支持部材５２に接する面との交差角度（すなわち、端面９１３と９２３のなす角度）がαとなるように調整し、上記傾き角度αを解消するように当該回路基板７２の姿勢を調整する。上記角度αを解消する回路基板７２の姿勢調整は、例えば、結像状態が確認しやすい原稿（例えば、読取領域の両端部に、黒線または黒点が描かれたチャート）からの反射光をイメージセンサ７１で受光し、当該イメージセンサ７１両端部の撮像素子が受光する光の強度分布から結像状態を検出し、両端での差異が無くなるように、回路基板７２の姿勢を調整することにより行うことができる。
【００３６】
この際、当該姿勢調整部材９１と９２の貫通孔９１１、９２１の中心軸は相互に傾くので、姿勢調整部材９１と９２の内径を、ナット部材８１の外径よりも若干大きくして、当該ナット部材８１とネジ８２が両者を貫通できるようにしている。
なお、図９では、視認しやすいように角度αを誇張して表しているが、実際には、角度αは通常１度以下の微小なものである。
【００３７】
また、姿勢調整部材９１および９２双方の中心軸が一致してくさび面同士で接している状態、即ち、姿勢調整ユニット９０が完全な円筒形の状態である場合に、姿勢調整ユニット９０としての高さが最小となるため、ナット部材８１とネジ８２の螺合による締め付け力に対する抵抗が最小となる。従って、姿勢調整部材９１および９２を相対的に回転させて中心軸にずれを生じさせた状態においては、そのずれを解消して元に戻ろうとする力が働く。そこで、傾き角度αを解消するように回路基板７２の姿勢を調整した状態を保持するためには、上記元に戻ろうとする力を制止する何らかの手段が必要である。そのため、本実施の形態では、姿勢調整部材９１および９２は、互いが接するくさび面９１２および９２１がそれぞれ粗面としてそれぞれのくさび面９１２と９２２との間に大きな摩擦抵抗が発生するようにし、加えて、スプリングワッシャー８４（図８参照）を介挿して付勢力を一定以上に保つことにより、当該姿勢調整部材９１と９２がずれて元の回転位置に戻ろうとするのを防ぐ構成となっている。
【００３８】
なお、上記実施の形態では、姿勢調整ユニット９０の外形を円筒形としているが、これに限られず、例えば、傾き角度調整時に外部から保持しやすく、回転させやすいように、円筒の外周面の一部に突起や窪みを設けたり、多角柱形状や歯車形状にしてもよい。
さらに、姿勢調整ユニット９０に、熱伝導性の比較的高い高熱伝導性部材、例えば金属や、樹脂に熱伝導性を向上させる効果のある金属やカーボン等のフィラーを混入した素材を用いることにより、回路基板７２の熱を姿勢調整ユニット９０を介して支持部材５２に伝導させ、当該回路基板７２の温度上昇を抑える効果も期待出来る。
【００３９】
その際、支持部材５２にも同様に、熱伝導性の高い素材、例えば金属や金属のフィラーを混入した樹脂を用いることにより、回路基板７２の熱を姿勢調整ユニット９０を介してより熱容量の大きな支持部材５２に伝導させ、さらに、当該支持部材５２が放熱部材としての役割を果たすことにより、当該回路基板７２の温度上昇をより効果的に抑えることが可能になる。
＜変形例＞
以上、本発明を実施の形態に基づいて説明してきたが、本発明が上述の実施の形態に限定されないのは勿論であり、以下のような変形例を実施することが出来る。
（１）上記各実施の形態において、回路基板７２が支持部材５２に対して回転しないように回転規制部材を設けてもよい。
【００４０】
図１０は、この場合における実施の形態１の変形例を示すための支持部材５２側からみたときの斜視図であり、図１１は図１０において光軸Ｌを含み基台５１に平行な面における断面を示す図である。
両図に示すように、支持部材５２の丸孔５３の中心を通り回路基板７２の長手方向と平行な直線上に、同直線方向に伸びる長穴５４を設け、当該長孔５４に回路基板７２に立設された回転規制ピン８３を係合させる構成としてもよい。
【００４１】
このような構成にすることにより、固定位置８０を中心とした回路基板７２の回転を規制することができ、当該回路基板７２の位置がより一層安定する。また、組立時における位置決めも容易になり作業効率が向上する。
なお、長穴５４を設ける位置は必ずしも、図１０に示すものに限られず、長径の延長線上に固定位置８０（丸穴５３の中心）が存在するようにすればよい。
【００４２】
このような構成にすると、回路基板７２は固定位置８０を基点として自在に膨張・収縮可能となり、当該回路基板７２に撓みを発生させること無く、回転を規制することができるからである。
なお、上記の変形例では、長穴５４は長円形としたが、回転規制ピン８３が長孔５４内を滑らかに移動できるのであればこれに限られず、例えば細長い矩形としてもよい。また、回転規制ピン８３は、長孔５４内を滑らかに移動できるのであれば円柱状に限られず、例えば他の断面形状であってもよい。
【００４３】
また、当該回転規制ピン８３は、支持部材５２側に設けられるとしてもよい。その場合は、回路基板７２側に長穴が設けられ、回転規制ピン８３は、支持部材５２の回路基板７２に接する面と反対側の面から当該支持部材５２に嵌挿される。
回転規制ピン８３は、回路基板７２、もしくは、支持部材５２に設けられた孔に嵌挿されるだけでもよいが、接着剤等により当該回路基板７２に接着されているとしてもよく、また、回路基板７２、もしくは、支持部材５２と一体化しているとしてもよい。さらに、回転規制ピン８３が回路基板７２側から嵌挿される場合、当該回転規制ピン８３が、ナット部材８１と一体となっているとしてもよい。
（２）上記各実施の形態においては、ナット部材８１が回路基板７２および支持部材５２に設けられた丸孔７３および５３に嵌挿され、当該ナット部材８１にネジ８２が螺合することにより、回路基板７２が支持部材５２に固定されるとしたが、これに限られず、以下のようにしてもよい。即ち、ナット部材８１を使用せず、回路基板７２のイメージセンサ７１が実装される面とは反対の面に、中心にネジ孔を持つ凸部が当該回路基板７２と一体となって設けられ、当該凸部が支持部材５２に設けられた丸孔５３に嵌挿され、ネジ８２により固定されるとしてもよい。
【００４４】
また、支持部材５２に設けられた丸孔５３にネジ８２を挿貫し、さらに、回路基板７２の回路パターンがプリントされていない部分に設けられた孔に当該ネジ８２を挿貫し、回路基板７２の支持部材５２と接している面と反対の面に突出した当該ネジ８２の突出部をナット等の別のネジにより固定するとしてもよい。この場合、ネジ８２の上記突出部およびナット等の別のネジがイメージセンサ７１に触れて破損や変形、歪み等を引き起こさないよう、これらのネジには十分小さなものを用いるとよく、また、これらの一部が回路基板７２に没入するようにしてもよい。
（３）上記各実施の形態においては、ミラースキャン方式を用いた例を説明したが、読取装置がこれに限られないことは言うまでも無く、少なくとも集光レンズおよびイメージセンサを有し、原稿面からの反射光を集光レンズを介してイメージセンサの受光面で受光する画像読取装置一般に適用することができる。例えば、光源や折り返しミラー等を移動させること無く、原稿をプラテンガラス上の特定の領域を通過させて画像を読み取る、所謂シートスルースキャン方式の画像読取装置や、光源とレンズや折り返しミラー等の光学エレメント、およびイメージセンサをひとつの筐体内に収納してユニット化し、これを移動させて原稿を読み取る、所謂ユニットスキャン方式の画像読取装置に適用した場合においても、同様の効果を得ることができる。
【００４５】
また、画像データに基づきシート上に画像を形成する画像形成装置、例えば、複写機、ファクシミリ装置、多機能複合機（ＭＦＰ：Ｍｕｌｔｉｐｌｅ  Ｆｕｎｃｔｉｏｎ  Ｐｅｒｉｐｈｅｒａｌ）等に、原稿画像を読み取る画像読取部が備えられている場合に、当該画像読取部として上記の画像読取装置を適用することも可能である。さらに、上記実施の形態および上記変形例の内容を可能な範囲で夫々組み合わせるとしてもよい。
【産業上の利用可能性】
【００４６】
本発明の画像読取装置は、イメージセンサの光軸方向の変位を防止し、且つ、光軸と直交する平面内における変位を最小限にして、画質の劣化を最小限に抑える技術として有用である。
【図面の簡単な説明】
【００４７】
【図１】本発明の実施の形態に係る画像読取装置１の全体構成を示す概略図である。
【図２】実施の形態１における画像読取装置１の画像読取ユニット５０の構成を示す垂直方向の概略断面図である。
【図３】実施の形態１における画像読取装置１の画像読取ユニット５０の構成を示す水平方向の概略断面図である。
【図４】実施の形態１における回路基板７２の支持部材５２への固定の態様を示す斜視図である。
【図５】実施の形態１における画像読取装置１の撮像部７０の構成を示す水平方向の概略断面図である。
【図６】実施の形態２における姿勢調整ユニット９０の形態と構成を示す斜視図である。
【図７】実施の形態２における画像読取装置１の撮像部７０の構成を示す水平方向の概略断面図である。
【図８】実施の形態２において、回路基板７２の取り付け時の傾きを調整した後の状態を示す、画像読取装置１の撮像部７０の構成を示す水平方向の概略断面図である。
【図９】実施の形態２において、姿勢調整ユニット９０を回転させて傾きを生じさせた状態を示す斜視図である。
【図１０】変形例（１）において、回路基板７２の支持部材５２への固定の態様を示す斜視図である。
【図１１】変形例（１）において、回路基板７２の支持部材５２への固定の態様を示す水平方向の断面図である。
【図１２】従来の技術における、回路基板２７２を支持部材２５２に２箇所で固定する形態を示した、画像読取ユニット５０の水平方向の断面図である。
【図１３】従来の技術における、温度上昇により回路基板２７２が膨張して撓みが生じ、イメージセンサ２７１が光軸Ｌ方向にβ変位している状態を示した、画像読取ユニット５０の水平方向の断面図である。
【符号の説明】
【００４８】
１                      画像読取装置
２                      原稿押さえ板
３                      画像読取部
３１                    プラテンガラス
３２                    機枠
３３                    スキャナユニット
３３１                  露光ランプ
３３２、３４１、３４２  折り返しミラー
３４                    折り返しミラーユニット
４０                    制御部
５０                    画像読取ユニット
５１、２５１            基台
５２、２５２            支持部材
５３、７３              丸孔
５４                    長孔
６０、２６０            レンズユニット
６１、２６１            結像レンズ
６２、２６２            レンズブラケット
７０                    撮像部
７１、２７１            イメージセンサ
７２、２７２            回路基板
８０、２８０            固定位置
８１                    ナット部材
８１ａ                  フランジ
８２、２８２            ネジ
８３                    回転規制部材
８４                    スプリングワッシャー
９０                    姿勢調整ユニット
９１、９２              姿勢調整部材
９１１、９２１          貫通孔
９１２、９２２          くさび面
９１３、９２３          端面
１００                  カバー
【図１】
2010109427.tif 000003
【図２】
2010109427.tif 000004
【図３】
2010109427.tif 000005
【図４】
2010109427.tif 000006
【図５】
2010109427.tif 000007
【図６】
2010109427.tif 000008
【図７】
2010109427.tif 000009
【図８】
2010109427.tif 000010
【図９】
2010109427.tif 000011
【図１０】
2010109427.tif 000012
【図１１】
2010109427.tif 000013
【図１２】
2010109427.tif 000014
【図１３】
2010109427.tif 000015